(57)【要約】【課題】  携帯電話の利用者が一時的に集中する状況を模擬した集中負荷疑似呼を発生させ、実フィールドで発生する状況に即した無線基地局装置の負荷疑似呼試験等を行う。【解決手段】  集中負荷疑似呼を生成するために必要なパラメータを保持する疑似呼パラメータ部２０と、生成する集中負荷疑似呼の呼数を指定する疑似呼呼数指定部３０と、試験通知部７０からの通知により、疑似呼パラメータ部で保持するパラメータに基づき、指定された呼数の集中負荷疑似呼を生成する疑似呼生成部と、試験を開始する前に集中負荷疑似呼を予め格納する疑似呼格納部６０と、格納した集中負荷疑似呼を無線基地局装置へ送信するタイミングを出力する試験開始タイミング部４０と、試験開始タイミング部からの試験開始指令により、疑似呼格納部から転送される集中負荷疑似呼を無線基地局装置へ送信する送信部５とを備える疑似呼発生装置。【選択図】  図４
2007104239.tif 000002
【特許請求の範囲】
【請求項１】
無線基地局装置の評価試験を行うための集中負荷疑似呼発生装置であって、
集中負荷疑似呼を生成するために必要なパラメータを保持する疑似呼パラメータ部と、
生成する集中負荷疑似呼の呼数を指定する疑似呼呼数指定部と、
試験通知部からの通知により、前記疑似呼パラメータ部で保持するパラメータに基づき、前記疑似呼呼数指定部で指定された呼数の集中負荷疑似呼を生成する疑似呼生成部と、
試験を開始する前に、前記疑似呼生成部で生成した集中負荷疑似呼を予め格納する疑似呼格納部と、
該疑似呼格納部に格納した集中負荷疑似呼を無線基地局装置へ送信するタイミングを出力する試験開始タイミング部と、
該試験開始タイミング部からの試験開始指令により、前記疑似呼格納部から転送される集中負荷疑似呼を無線基地局装置へ送信する送信部とを備えることを特徴とする疑似呼発生装置。
【請求項２】
さらに、疑似呼を生成するために必要なパラメータを保持する第２の疑似呼パラメータ部と、
生成する疑似呼の呼数を指定する第２の疑似呼呼数指定部と、
前記第２の疑似呼パラメータ部で保持するパラメータに基づき、前記第２の疑似呼呼数指定部で指定された呼数の疑似呼を生成する第２の疑似呼生成部と、
該第２の疑似呼生成部で生成した疑似呼を、前記無線基地装置へ送信するタイミングを出力する第２の試験開始タイミング部とを備え、
該第２の試験開始タイミング部からの試験開始指令により、前記第２の疑似呼生成部で生成した疑似呼を前記送信部から前記無線基地局装置へ送信することを特徴とする請求項１に記載の疑似呼発生装置。
【請求項３】
さらに、前記無線基地局装置から受信する通話データ、及びパケットデータのビットエラーを測定するビットエラー測定部を備えることを特徴とする請求項１又は２に記載の疑似呼発生装置。
【請求項４】
前記第１の疑似呼生成部は、前記第１の疑似呼呼数指定部から指定された呼数分の集中負荷疑似呼のパラメータを前記第１の疑似呼パラメータ部へ一括要求し、
該第１の疑似呼パラメータ部は、前記第１の疑似呼呼数指定部から指定された呼数分の集中負荷疑似呼のパラメータを前記第１の疑似呼生成部に一括転送することを特徴とする請求項１、２又は３に記載の疑似呼発生装置。
【請求項５】
前記第１の試験開始タイミング部は、集中負荷疑似呼が前記第１の疑似呼格納部へ格納された後、任意の時刻に該試験の開始を前記第１の疑似呼格納部へ出力することを特徴とする請求項１乃至４のいずれかに記載の疑似呼発生装置。
【発明の詳細な説明】
【技術分野】
【０００１】
本発明は、携帯電話の無線基地局装置の性能、安定性の評価試験を行うため、無線基地局に対して疑似呼を発生させる装置に関する。
【背景技術】
【０００２】
従来、上記評価試験を行うにあたって、例えば、特許文献１に記載の疑似呼試験方法では、発生装置被試験通信装置と略々同一の機能を有する試験通信装置を使用し、被試験通信装置及び試験通信装置の処理データを制御・データ収集装置で受信評価し、試験時間の短縮及び効率化を図っている。
【０００３】
上記試験方法は、より具体的には、試験通信装置及び被試験通信装置に制御・データ収集装置をバスを介して接続し、試験信号を制御・データ収集装置からバスを介して試験通信装置に指示し、試験通信装置は、制御・データ収集装置からの試験信号に応じた試験情報を信号リンクを介して被試験通信装置に送信し、制御・データ収集装置は、被試験通信装置の処理情報をバスを介して被試験通信装置から受信し、被試験通信装置から試験通信装置に返送された応答信号をバスを介して受信し、これらの各々受信した処理情報及び応答情報に基づいて被試験通信装置の性能を評価する。
【０００４】
このような無線基地局装置の呼処理の評価試験に用いられる従来の疑似呼発生装置は、一定の時間間隔で、定量的な疑似呼数を無線基地局装置に与える試験(負荷疑似呼試験)を行なうことは可能であった。ここで、疑似呼とは、試験上発生させる呼をいう。この疑似呼発生装置は、生成した疑似呼を無線基地局装置へ送信することで、無線基地局装置との通信を開始する。この負荷疑似呼試験を実施することで、無線基地局装置の呼処理の性能・安定性の指標とすることができる。
【０００５】
上記疑似呼発生装置は、図１に示すように、疑似呼を生成する疑似呼生成部１と、疑似呼が有するパラメータを保持する疑似呼パラメータ部２と、疑似呼の呼数を指定する疑似呼呼数指定部３と、試験を開始するタイミングを出力する開始タイミング部４と、疑似呼生成部１から転送された疑似呼を無線基地局へ送信する送信部５を備える。
【０００６】
次に、前記構成を有する疑似呼発生装置の動作について説明する。試験を開始する前に、試験者が疑似呼呼数指定部３で送信する疑似呼の呼数を指定する（ａ）。試験開始タイミング部４にて試験を開始するタイミングを疑似呼生成部１へ出力する（ｂ）ことで試験が開始される。尚、試験者が疑似呼発生装置の試験開始タイミング部４へ試験開始の操作をする。
【０００７】
試験を実施している間に複数の疑似呼を発生させるためには、各疑似呼のパラメータを互いに異なるものとする必要がある。そこで、疑似呼を発生させる度に、疑似呼生成部１は、疑似呼パラメータ部２へパラメータを要求し（ｃ）、疑似呼パラメータ部２は、疑似呼生成部１へ各疑似呼のパラメータを転送する（ｄ）。疑似呼生成部１で疑似呼を生成し、生成された疑似呼が送信部５へ転送され(ｅ)、送信部５から無線基地局装置へ疑似呼が送信される(ｆ)。
【０００８】
無線基地局装置との通信は、無線基地局装置から通信終了の信号を受信して終了する。受信部から疑似呼生成部１へある疑似呼の通信終了を通知し、疑似呼生成部１で使用していたパラメータの使用終了の通知を疑似呼パラメータ部２へ行うことにより、パラメータの使い回しが可能となり、長時間連続の負荷疑似呼試験が可能となっていた。
【０００９】
図２は、疑似呼の呼数が１の場合の疑似呼発生装置の動作、及び無線基地局装置との通信のシーケンスを示す。負荷疑似呼試験を実施する前に、試験者が疑似呼呼数指定部３へ送信する疑似呼の呼数を設定し、疑似呼呼数指定部３から疑似呼生成部１へ疑似呼の呼数を指定する。次に、試験者が負荷疑似呼試験を開始するため、試験開始タイミング部４を操作する。試験開始タイミング部４から疑似呼生成部１へ出力し、負荷疑似呼試験が開始される。疑似呼発生装置の動作は、図１のａ〜ｆに対応している。疑似呼の通信終了とともに、疑似呼生成部１で使用していたパラメータの使用終了を疑似呼パラメータ部２への通知をすることにより、パラメータの使い回しが可能となる。
【００１０】
図３は、疑似呼の呼数が複数の場合(同図の場合には、呼数３)の疑似呼発生装置の動作、及び無線基地局装置との通信のシーケンスを示す。疑似呼発生装置の動作、無線基地局装置との通信は、図２の場合と同じであるが、各疑似呼を発生させるために、疑似呼生成部１と疑似呼パラメータ部２の間でｃとｆの処理を繰り返す必要がある。
【００１１】
【特許文献１】特開２０００−１２４９９９号公報
【発明の開示】
【発明が解決しようとする課題】
【００１２】
上述した疑似呼発生装置では、疑似呼を発生させる度に疑似呼を生成するため、図１のｃ及びｄを必要とするが、疑似呼発生の処理能力に限界があるため、疑似呼発生装置で生成処理可能な疑似呼数以上で、実フィールドにおいて携帯電話利用者数がある一箇所へ一時的に突発して集中するような状況を模擬した負荷疑似呼試験を実施することができないという問題があった。
【００１３】
そこで、本発明は、携帯電話の利用者が一時的に突発して集中するような状況を模擬した多量の疑似呼(以後、「集中負荷疑似呼」とする)を発生させることができ、実フィールドで発生する状況に即した無線基地局装置における負荷疑似呼試験を可能することを目的とする。
【課題を解決するための手段】
【００１４】
上記目的を達成するため、本発明は、無線基地局装置の評価試験を行うための集中負荷疑似呼発生装置であって、集中負荷疑似呼を生成するために必要なパラメータを保持する疑似呼パラメータ部と、生成する集中負荷疑似呼の呼数を指定する疑似呼呼数指定部と、試験通知部からの通知により、前記疑似呼パラメータ部で保持するパラメータに基づき、前記疑似呼呼数指定部で指定された呼数の集中負荷疑似呼を生成する疑似呼生成部と、試験を開始する前に、前記疑似呼生成部で生成した集中負荷疑似呼を予め格納する疑似呼格納部と、該疑似呼格納部に格納した集中負荷疑似呼を無線基地局装置へ送信するタイミングを出力する試験開始タイミング部と、該試験開始タイミング部からの試験開始指令により、前記疑似呼格納部から転送される集中負荷疑似呼を無線基地局装置へ送信する送信部とを備えることを特徴とする。
【００１５】
そして、本発明によれば、疑似呼パラメータ部のパラメータを使用して集中負荷疑似呼を生成し、疑似呼格納部に予め集中負荷疑似呼を格納しておくことにより、疑似呼発生装置で生成可能な疑似呼数以上で、実フィールドにおいて携帯電話利用者数がある一箇所へ一時的に突発して集中するような状況を模擬した無線基地局装置における負荷疑似呼試験を行うことができる。
【００１６】
前記疑似呼発生装置に、さらに、疑似呼を生成するために必要なパラメータを保持する第２の疑似呼パラメータ部と、生成する疑似呼の呼数を指定する第２の疑似呼呼数指定部と、前記第２の疑似呼パラメータ部で保持するパラメータに基づき、前記第２の疑似呼呼数指定部で指定された呼数の疑似呼を生成する第２の疑似呼生成部と、該第２の疑似呼生成部で生成した疑似呼を、前記無線基地装置へ送信するタイミングを出力する第２の試験開始タイミング部とを備え、該第２の試験開始タイミング部からの試験開始指令により、前記第２の疑似呼生成部で生成した疑似呼を前記送信部から前記無線基地局装置へ送信することができる。これによって、従来の疑似呼を与えている試験中に、集中負荷疑似呼を定期的に与えた時の負荷量を実現することができ、携帯電話の利用者数がある一箇所へ一時的に突発して集中するような実フィールドで発生する状況を模擬した試験を行うことができる。
【００１７】
前記疑似呼発生装置に、さらに、前記無線基地局装置から受信する通話データ、及びパケットデータのビットエラーを測定するビットエラー測定部を備えることができる。これによって、集中負荷疑似呼を定期的に与えている試験中の無線基地局装置が疑似呼発生装置へ送信する通話データやパケットデータのデータ品質の計測が可能となる。
【００１８】
前記疑似呼発生装置において、前記第１の疑似呼生成部は、前記第１の疑似呼呼数指定部から指定された呼数分の集中負荷疑似呼のパラメータを前記第１の疑似呼パラメータ部へ一括要求し、該第１の疑似呼パラメータ部は、前記第１の疑似呼呼数指定部から指定された呼数分の集中負荷疑似呼のパラメータを前記第１の疑似呼生成部に一括転送することができる。
【００１９】
また、前記疑似呼発生装置において、前記第１の試験開始タイミング部は、集中負荷疑似呼が前記第１の疑似呼格納部へ格納された後、任意の時刻に該試験の開始を前記第１の疑似呼格納部へ出力することができる。
【発明の効果】
【００２０】
以上のように、本発明によれば、携帯電話の利用者が一時的に突発して集中するような状況を模擬した集中負荷疑似呼を発生させ、実フィールドで発生する状況に即した無線基地局装置における負荷疑似呼試験等を行うことができる。
【発明を実施するための最良の形態】
【００２１】
図４は、本発明にかかる集中負荷疑似呼発生装置（以下、「疑似呼発生装置」という）の第１の実施の形態の構成を示すブロック図である。この疑似呼発生装置は、集中負荷疑似呼生成部１０と、集中負荷疑似呼パラメータ部２０と、集中負荷疑似呼呼数指定部３０と、試験開始タイミング部４０と、送信部５と、集中負荷疑似呼格納部６０と、集中負荷疑似呼試験通知部７０とで構成される。ここで、集中負荷疑似呼とは、負荷疑似呼試験中において疑似呼発生装置で生成処理可能な呼数以上の疑似呼をいう。
【００２２】
集中負荷疑似呼生成部１０は、集中負荷疑似呼試験を実施する前に、集中負荷疑似呼試験通知部７０から集中負荷疑似呼試験であることを通知され、集中負荷疑似呼呼数指定部３０から集中負荷疑似呼数が指定されると、集中負荷疑似呼パラメータ部２０へ集中負荷疑似呼のパラメータを一括要求する。また、集中負荷疑似呼生成部１０は、集中負荷疑似呼パラメータ部２０から転送される集中負荷疑似呼パラメータを使用し、集中負荷疑似呼を生成する。生成された集中負荷疑似呼は、集中負荷疑似呼格納部６０に転送される。
【００２３】
集中負荷疑似呼パラメータ部２０は、集中負荷疑似呼を生成するために必要な、集中負荷疑似呼毎に異なったパラメータを保持する。集中負荷疑似呼生成部１０から集中負荷疑似呼のパラメータの一括要求があると、集中負荷疑似呼パラメータ部２０は、集中負荷疑似呼生成部１０へ集中負荷疑似呼呼数指定部３０で設定された個数分の集中負荷疑似呼パラメータを一括転送する。
【００２４】
集中負荷疑似呼呼数指定部３０は、集中負荷疑似呼試験を実施する前に、集中負荷疑似呼格納部６０から送信部５へ転送する集中負荷疑似呼の呼数を設定し、集中負荷疑似呼生成部１０へ通知する。
【００２５】
試験開始タイミング部４０は、集中負荷疑似呼試験を開始する時に、集中負荷疑似呼格納部６０に格納されている集中負荷疑似呼を送信部５へ転送する開始タイミングを出力する。
【００２６】
集中負荷疑似呼格納部６０は、試験開始タイミング部４０から試験開始タイミングの出力があるまで、集中負荷疑似呼生成部１０で生成された集中負荷疑似呼を格納する。試験開始タイミング部４０から試験開始のタイミングの入力があると、格納した集中負荷疑似呼を送信部５へ転送する。
【００２７】
集中負荷疑似呼試験通知部７０は、集中負荷疑似呼試験を実施する前に、集中負荷疑似呼生成部１０へ集中負荷疑似呼試験であることを通知する。
【００２８】
送信部５は、集中負荷疑似呼格納部６０から転送された集中負荷疑似呼を無線基地局装置へ送信する。この送信部５は、従来の疑似呼発生装置に設置のものと同じ機能を有する。
【００２９】
次に、前記構成を有する疑似呼発生装置の動作について、図４を参照しながら説明する。
【００３０】
集中負荷疑似呼試験を実施する前に、集中負荷疑似呼試験通知部７０は、集中負荷疑似呼生成部１０に集中負荷疑似呼試験であることを通知する（ｇ’）。集中負荷疑似呼呼数指定部３０は、集中負荷疑似呼格納部６０から送信部５へ転送する集中負荷疑似呼の呼数を設定し、疑似呼生成部１０へ通知する（ａ’）。次に、集中負荷疑似呼生成部１０から集中負荷疑似呼パラメータ部２０へ、集中負荷疑似呼呼数指定部３０で設定した呼数分のパラメータの一括要求（ｃ’）がされる。これにより、集中負荷疑似呼パラメータ部２０から集中負荷疑似呼生成部１０へ、集中負荷疑似呼パラメータ部２０で保持している集中負荷疑似呼パラメータが一括転送される（ｄ’）。集中負荷疑似呼生成部１０で集中負荷疑似呼パラメータを使用し、集中負荷疑似呼が生成される。生成された集中負荷疑似呼が集中負荷疑似呼格納部６０へ転送され（ｅ’）、集中負荷疑似呼格納部６０に集中負荷疑似呼が格納される。
【００３１】
集中負荷疑似呼試験を開始する時に、試験開始タイミング部４０から集中負荷疑似呼格納部６０へ、開始タイミングを出力する（ｂ’）。開始タイミングが入力された集中負荷疑似呼格納部６０から送信部５へ、集中負荷疑似呼が転送される（ｈ’）。送信部５は、集中負荷疑似呼格納部６０から転送された集中負荷疑似呼を無線基地局装置へ送信する（ｆ）。
【００３２】
次に、図５を参照しながら、前記疑似呼発生装置の動作、及び無線基地局装置との通信について説明する。
【００３３】
試験者が集中負荷疑似呼試験を実施する前に、集中負荷疑似呼試験通知部７０へ集中負荷疑似呼試験を設定する。集中負荷疑似呼試験通知部７０から集中負荷疑似呼生成部１０へ、集中負荷疑似呼試験であることを通知する（ｇ’）。また、試験者が集中負荷疑似呼呼数指定部３０へ集中負荷疑似呼数を設定する。集中負荷疑似呼呼数指定部３０は、集中負荷疑似呼生成部１０へ、送信する集中負荷疑似呼の数を指定する。集中負荷疑似呼生成部１０から集中負荷疑似呼パラメータ部２０へ集中負荷疑似呼パラメータの一括要求（ｃ’）をする。集中負荷疑似呼パラメータ部２０から集中負荷疑似呼生成部１０へ、集中負荷疑似呼パラメータ部２０で保持している集中負荷疑似呼パラメータが一括転送される（ｄ’）。この集中負荷疑似呼パラメータを使用し、集中負荷疑似呼生成部１０は集中負荷疑似呼を生成する。生成された集中負荷疑似呼は、集中負荷疑似呼格納部６０へ転送され（ｅ’）、格納される。
【００３４】
試験者が集中負荷疑似呼試験開始するため、集中負荷疑似呼の開始タイミング部４０を操作する。集中負荷疑似呼の開始タイミング部４０から集中負荷疑似呼格納部６０へ、開始タイミングが出力される（ｂ’）。開始タイミングが入力された集中負荷疑似呼格納部６０から送信部５へ、集中負荷疑似呼個数指定部３０から通知された集中負荷疑似呼の呼数分だけの集中負荷疑似呼が転送される（ｈ’）。送信部５は、集中負荷疑似呼格納部６０から転送された集中負荷疑似呼を無線基地局装置へ送信する（ｆ）。
【００３５】
図６は、前記疑似呼発生装置を使用した場合の負荷疑似呼試験における無線基地局装置における疑似呼数（負荷量）を示す。横軸は負荷疑似呼試験実施の時間軸、縦軸は疑似呼数（負荷量）を表す。同図によって明らかなように、負荷疑似呼試験を実施している間は、定期的に、集中負荷疑似呼を生成させ、無線基地局装置に対して疑似負荷呼を与えることが可能となる。
【００３６】
次に、本発明にかかる疑似呼発生装置の第２の実施の形態について、図７及び図８を参照しながら説明する。
【００３７】
この疑似呼発生装置は、図７に示すように、無線基地局装置へ従来の一定の時間間隔で、定量的な疑似呼を与える試験と、定期的に集中負荷疑似呼を与える試験とを可能としている。この疑似呼発生装置は、図１及び図４に示した機能ブロック図を並列したものであるが、従来の疑似呼は疑似呼生成部１から送信部５へ、集中負荷疑似呼は集中負荷格納部６０から送信部５へ転送される。送信部５から、従来の疑似呼及び集中負荷疑似呼が無線基地局装置へ送信される。
【００３８】
図８は、図７に示した機能ブロックを実現した場合の無線基地局装置に対する負荷量を示す。尚、同図の横軸、縦軸は、図６の場合と同様である。本実施の形態では、従来の疑似呼を与えている試験中に、集中負荷疑似呼を定期的に与えた時の負荷量になるが、本実施の形態では、携帯電話の利用者数がある一箇所へ一時的に突発して集中するような実フィールドで発生する状況を模擬した試験例になると想定できる。
【００３９】
次に、本発明にかかる疑似呼発生装置の第３の実施の形態について、図９及び図１０を参照しながら説明する。
【００４０】
この疑似呼発生装置は、図９に示すように、無線基地局装置へ定期的に集中負荷疑似呼を与える試験と、無線基地局装置が疑似呼発生装置へ通話データやパケットデータを送信し、疑似呼発生装置で受信した通話データのビットエラー測定を可能としている。尚、このビットエラー測定は、従来より行われているものである。この疑似呼発生装置は、集中負荷疑似呼を送信する部分は図４と同じ構成であり、無線基地局装置から受信した通話データやパケットデータを受信する受信部７と、受信データのビットエラーを測定するビットエラー測定部８を備える。
【００４１】
受信部７は、無線基地局装置から通話データやパケットデータを受信し（ｈ）、ビットエラー測定部８へ転送する（ｉ）。ビットエラー測定部８は、転送された受信データのビットエラーを測定する。これによって、集中負荷疑似呼を定期的に与える試験中において、無線基地局装置が疑似呼発生装置へ送信する通話データやパケットデータのデータ品質の計測が可能となる。
【００４２】
図１０は、図９に示した機能ブロックを実現した場合の無線基地局装置に対する負荷量を示す。尚、同図の横軸、縦軸は、図６の場合と同様である。無線基地局装置から疑似呼発生装置への通話データやパケットデータの送信は、無線基地局装置において処理能力の負荷を与えていることになる。本実施の形態では、携帯電話利用者数がある一箇所へ一時的に突発して集中するような実フィールドで発生する状況を模擬した試験中において、集中負荷疑似呼とは別の疑似呼の通話やパケットデータの品質を計測する試験が可能となる。
【図面の簡単な説明】
【００４３】
【図１】従来の疑似呼発生装置の一例を示すブロック図である。
【図２】図１の疑似呼発生装置の動作と、無線基地局装置との通信(疑似呼の呼数１を発生させる負荷疑似呼試験)を示すシーケンス図である。
【図３】図１の疑似呼発生装置の動作と、無線基地局装置との通信(複数の疑似呼を発生させる負荷疑似呼試験)を示すシーケンス図である。
【図４】本発明にかかる疑似呼発生装置の第１の実施の形態を示すブロック図である。
【図５】図４の疑似呼発生装置の動作と、無線基地局装置との通信を示すシーケンス図である。
【図６】図４の疑似呼発生装置を使用した場合の無線基地局装置における負荷量を示すグラフである。
【図７】本発明にかかる疑似呼発生装置の第２の実施の形態として、従来の疑似呼と、集中負荷疑似呼の負荷疑似呼試験の両方を可能とする疑似呼発生装置を示すブロック図である。
【図８】図７に示す疑似呼発生装置を使用した場合の無線基地局装置における負荷量を示すグラフである。
【図９】本発明にかかる疑似呼発生装置の第３の実施の形態として、集中負荷疑似呼の負荷疑似呼試験と、疑似呼発生装置における無線基地局装置が送信する通話データ、パケットデータのビットエラー測定を可能とする疑似呼発生装置を示すブロック図である。
【図１０】図９に示す疑似呼発生装置を使用した場合の無線基地局装置における負荷量を示すグラフである。
【符号の説明】
【００４４】
１  疑似呼生成部
２  疑似呼パラメータ部
３  疑似呼呼数指定部
４  試験開始タイミング部
５  送信部
７  受信部
８  ビットエラー測定部
１０  集中負荷疑似呼生成部
２０  集中負荷疑似呼パラメータ部
３０  集中負荷疑似呼呼数指定部
４０  試験開始タイミング部
６０  集中負荷疑似呼格納部
７０  集中負荷疑似呼試験通知部
ａ  疑似呼呼数通知
ｂ  試験開始タイミング出力
ｃ  疑似呼パラメータ要求
ｄ  疑似呼パラメータ転送
ｅ  疑似呼転送
ｆ  疑似呼（又は集中負荷疑似呼）送信
ｈ  通話データ又はパケットデータ受信
ｉ  通話データ又はパケットデータ転送
ａ’  集中負荷疑似呼呼数通知
ｂ’  試験開始タイミング出力
ｃ’  集中負荷疑似呼パラメータ一括要求
ｄ’  集中負荷疑似呼パラメータ一括転送
ｅ’  集中負荷疑似呼転送
ｇ’  集中負荷疑似呼試験通知
ｈ’  集中負荷疑似呼の送信部への転送
【図１】
2007104239.tif 000003
【図２】
2007104239.tif 000004
【図３】
2007104239.tif 000005
【図４】
2007104239.tif 000006
【図５】
2007104239.tif 000007
【図６】
2007104239.tif 000008
【図７】
2007104239.tif 000009
【図８】
2007104239.tif 000010
【図９】
2007104239.tif 000011
【図１０】
2007104239.tif 000012